Podtech/llm-jp-corpus-v4-ja_patent huggingface dataset:
(57)【特許請求の範囲】
【請求項１】
先端部に歯牙に係合するフック部と該フック部を移動させるためのつまみ部を有する作動杆と、該作動杆の他端に設けられたダッシュポットと、該ダッシュポットの変化量を表示する表示部材を有することを特徴とする歯牙の動揺度測定器。
【請求項２】
前記ダッシュポットは、前記作動杆に取り付けられたピストン部材と、該ピストン部材を移動可能に収容するシリンダ部材と、該シリンダ部に開けられた小孔とを有し、前記シリンダ部が前記表示部材に対して弾性材にて連結されていることを特徴とする請求項１に記載の歯牙の動揺度測定器。
【請求項３】
前記表示部材は、前記シリンダ部材を収納する筒状体であり、該シリンダ部材は、該筒状体内に前記弾性材により移動方向の前後にて連結されていることを特徴とする請求項２記載の歯牙の動揺度測定器。
【請求項４】
前記筒状体は、前記シリンダ部材を目視できる窓を有し、該窓を通して前記シリンダの移動量を目視可能としたことを特徴とする請求項３に記載の歯牙の動揺度測定器。
【請求項５】
前記シリンダ部材の外周には、移動方向に沿って異なる色が順次つけられており、前記窓より該色を目視可能として歯牙の動揺度を表示するようにしたことを特徴とする請求項４に記載の歯牙の動揺度測定器。
【発明の詳細な説明】
【０００１】
【発明の属する技術分野】
本発明は、歯牙の動揺度を測定する歯牙動揺度測定装置、より詳細には、測定者（術者）の手振れによる測定誤差を無くし、正確に動揺度を測定することのできる歯牙動揺度測定器を提供することを目的としてなされたものである。
【０００２】
【従来の技術】
歯科治療において、歯牙の動揺度の測定は、歯の健康状態、或いは、歯周病を推定する上で不可欠なものである。この歯牙の動揺度を測定する場合、従来、指やピンセットを使って、術者（医師）の感覚によって判断しているが、これでは、手振れにより、その度に測定度が異なってしまい、正確な判断ができないという問題があった。
【０００３】
【発明が解決しようとする課題】
本発明は、上述のごとき実情に鑑みてなされたもので、手振れを防止して、正確に測定することのできる歯牙動揺度測定器を提供することを目的としてなされたものである。
【０００４】
【課題を解決するための手段】
請求項１の発明は、先端部に歯牙に係合するフック部と該フック部を移動させるためのつまみ部を有する作動杆と、該作動杆の他端に設けられたダッシュポットと、該ダッシュポットの変化量を表示する表示部材を有することを特徴としたものである。
【０００５】
請求項２の発明は、請求項１の発明において、前記ダッシュポットは、前記作動杆に取り付けられたピストン部材と、該ピストン部材を移動可能に収容するシリンダ部材と、該シリンダ部に開けられた小孔とを有し、前記シリンダ部が前記表示部材に対して弾性材にて連結されていることを特徴としたものである。
【０００６】
請求項３の発明は、請求項２の発明において、前記表示部材は、前記シリンダ部材を収納する筒状体であり、該シリンダ部材は、該筒状体内に前記弾性材により移動方向の前後にて連結されていることを特徴としたものである。
【０００７】
請求項４の発明は、請求項３の発明において、前記筒状体は、前記シリンダ部材を目視できる窓を有し、該窓を通して前記シリンダの移動量を目視可能としたことを特徴としたものである。
【０００８】
請求項５の発明は、請求項４の発明において、前記シリンダ部材の外周には、該シリンダが移動する軸方向に沿って異なる色が順次つけられており、前記窓より該色を目視可能として歯牙の動揺度を表示するようにしたことを特徴としたものである。
【０００９】
【発明の実施の形態】
図１は、本発明による歯牙動揺度測定器の使用状態を説明するための概略図で、図中、１０は本発明による歯牙動揺度測定器、２０はピンセット、３０は歯牙で、本歯牙動揺度測定器１０は、先端部に、歯牙３０に係合するフック部１と該フック部１をピンセット２０等で摘んで矢印Ａ，Ｂ方向に動かすための突起２を有し、後端部にピストン４を有する作動杆３を有し、該作動杆３のゆっくりとした動きには追従しないようにして、該作動杆３の変位量を歯牙動揺度測定器１０の外筒（握手筒）９に設けられた窓１１から目視するようになっている。
【００１０】
図２は、図１に示した歯牙動揺度測定器１０の断面構造を示す図で、前記作動杆３の後端にはピストン４が取り付けられており、該ピストン４がシリンダ５内に、矢印Ａ，Ｂ方向に移動可能に収容されている。このシリンダ５は外筒（握手筒）９内にばね６，７により、矢印Ａ，Ｂ方向に弾性支持されており、その表面には、図３に拡大して示すように、移動方向に沿って異なる色が所定の幅で付してある。更に、該シリンダ５には、小孔８（図では、作動杆３の挿通孔を利用しているが、別に設けてもよい）が設けられており、この小孔８がダッシュポットの役割をして、シリンダ５はピストン４のゆっくりとした変化には追従せず、すなわち、手振れというゆっくりした動きには追従せず、測定中の早い動きに対してのみ追従し（シリンダ５内に溜まっていたエアーが壁となり、ピストン４とシリンダ５が一緒に動く）、シリンダ５の動きとして該シリンダ５の変位量が、握持筒９の窓１１を通して、該シリンダ５の外表面に付された色から分かる。
【００１１】
【発明の効果】
以上の説明から明らかなように、本発明によると、術者の手振れ等による測定誤差を防止し、歯牙の動揺度を正確に測定することができる。
【図面の簡単な説明】
【図１】本発明による歯牙動揺度測定器の一使用例を説明するための図である。
【図２】本発明による歯牙動揺度測定器の断面構成図である。
【図３】シリンダの表面に付される色の例を示す図である。
【符号の説明】
１０…歯牙動揺度測定器、２０…ピンセット、３０…歯牙、１…フック部、２…摘み部、３…作動杆、４…ピストン、５…シリンダ、６，７…ばね、８…ダッシュポット用の小孔、９…外筒（握手筒）、１１…窓。
【図１】
0003625035.tif 000002
【図２】
0003625035.tif 000003
【図３】
0003625035.tif 000004
(57)【特許請求の範囲】
【請求項１】
ジイソプロピルアミンジクロロアセテートと水、および飽和分枝脂肪酸としてイソステアリン酸０．２〜２０重量％とを含有することを特徴とする皮膚外用剤。
【請求項２】
ジイソプロピルアミンジクロロアセテートと水、および飽和分枝脂肪酸としてイソステアリン酸１．０〜１０．０重量％とを含有することを特徴とする皮膚外用剤。
【請求項３】
ジイソプロピルアミンジクロロアセテートを０．０１〜５．０重量％を含有することを特徴とする請求項１又は２記載の皮膚外用剤。
【発明の詳細な説明】
【０００１】
【発明の属する技術分野】
本発明は経皮吸収促進剤及び皮膚外用剤に関する。
【０００２】
【従来の技術】
水溶性生理活性成分には、生体に極めて優れた効果を示すものが有る。本出願人は、先に、ジイソプロピルアミンジクロロアセテ−ト（特開昭５３−１３６５２８号公報）が皮膚機能改善による老化防止効果や美白効果を有することを見いだし、提案した。
【０００３】
一方、皮膚は外部からの化学物質の侵入に対してバリア−機能を果たすため皮膚の角質層の浸透抵抗性が高くなっている。したがって水溶性生理活性成分は、油溶性生理活性成分に比べて、一般に皮膚の吸収速度が小さい。よって、水溶性生理活性成分を経皮投与させる場合、角質層を透過させる事が重要となる。
【０００４】
そこで、角質層の透過性を高める目的で、オレイン酸をはじめとする不飽和脂肪酸類、界面活性剤、ＡＺＯＮＥ、およびモノテルペン類の経皮吸収促進剤が検討されている。しかし、ＡＺＯＮＥなどでは皮膚外用剤に配合した場合、刺激が認められる事もあるため、安全性に問題が生じる場合がある。
【０００５】
オレイン酸は、高い経皮吸収促進効果を有する化粧品原料であるが、不飽和結合を有するため、酸化しやすく安定性が悪く、原料臭も問題となる。
【０００６】
【発明が解決しようとする課題】
従って、本発明の目的とするところは、生理活性成分の経皮吸収促進効果を高め、皮膚機能を一層改善する皮膚外用剤を提供することにある。
【０００７】
【課題を解決するための手段】
係る状況に鑑み、本発明者は種々の検討の結果、上記の目的を飽和分枝脂肪酸と水を含有することを特徴とする経皮吸収促進剤により達成した。
【０００８】
【発明の実施の形態】
以下、本発明の実施の形態を、詳述する。
【０００９】
本発明の経皮吸収促進剤及び皮膚外用剤に用いられる飽和分枝脂肪酸としては特に、イソステアリン酸であることが望ましく、また、配合量としては、０．２〜２０重量％含有することが望ましい。０．２重量％未満の場合、本発明の効果が充分ではない。２０重量％を越えてもそれに見合った効果は得られない。
【００１０】
ジイソプロピルアミンジクロロアセテ−トの本発明の経皮吸収促進剤及び皮膚外用剤中の含有量としては、０．０１〜５．０重量％であることが望ましい。０．０１重量％未満の場合、本発明の効果、すなわち経皮吸収促進効果が充分ではない。５．０重量％を越えてもそれに見合った効果は得られない。
【００１１】
本発明の経皮吸収促進剤及び皮膚外用剤は、前述の如く、飽和分枝脂肪酸を配合してなるものであり、生理活性成分として配合されるジイソプロピルアミンジクロロアセテ−トと水とが相乗的に皮膚に作用して、ジイソプロピルアミンジクロロアセテ−トの経皮吸収を促進するといった顕著な効果を表すものである。
【００１２】
本発明の経皮吸収促進剤及び皮膚外用剤は、例えば、化粧料や医薬品として適用することができ、剤型としては、ロ−ション類、乳液類、クリ−ム類、パック類等に適用することができる。特に、エッセンス類、乳液類、およびクリ−ム類が好ましい。
尚、本発明の経皮吸収促進剤及び皮膚外用剤には上記の他にワックス類、界面活性剤、乳化助剤、湿潤剤、防腐剤、顔料、ビタミン類、キレ−ト剤、清涼剤、ホルモン類、抗酸化剤、色素、香料等を本発明の目的を達成する範囲内で適宜配合することができる。
【００１３】
以下、実施例によって、本発明を更に詳細に説明するが、それに先立って本発明の評価に用いた試験方法について記載する。
【００１４】
経皮吸収試験方法
フランツ型垂直拡散セルのアクセプタ−部にリン酸緩衝液（１５０ｍＭ塩化ナトリウム含有、ｐＨ７．２）を満たし、剥離したヘアレスラットの腹部皮膚を装着する。下記実施例および比較例に示した試料を皮膚上に供し、皮膚を透過してアクセプタ−部のリン酸緩衝溶液中に蓄積したジイソプロピルアミンジクロロアセテ−トの重量を高速液体クロマトグラフィ−により定量した。実験は３群で行い、平均値を算出した。その結果にもとづいて評価を行った。
【００１５】
血行促進効果試験法と官能評価試験法
顔の血色が良くないと感じる中高年被験者３０名を対象として試料別に１０名ずつ３グループに分けて４週間連続塗布効果を調べた。被験者は１日２回、下記組成により調製された試料を顔面にマッサージするように使用し、使用前および終了後の顔色の状態の変化を改善した、やや改善した、改善しないの何れであるかを自分で判断した。血行促進効果の評価結果はその人数で示した。
同時に、感触及び香り立ちなどを含めた使用上の官能評価として、５段階で、好ましいを５点、やや好ましいを４点、普通を３点、やや好ましくないを２点、好ましくないを１点として判断した。官能評価はその平均値で示した。
【００１６】
実施例１、２、比較例１〜３
ジイソプロピルアミンジクロロアセテ−トを表１に記載の通りに配合し、各々の皮膚外用剤を調製した。これを試料として前記の経皮吸収試験を実施し、８時間後のジイソプロピルアミンジクロロアセテ−トの透過量（重量％）を求めた。尚、配合量は重量％である。ジイソプロピルアミンジクロロアセテ−トはＤＡＤＡと略記する。
【００１７】
【表１】
0003625020.tif 000002
【００１８】
（１）調製方法
各々を、室温にて混合し、乳化分散を行い調製する。
（２）特性
各経皮吸収促進性皮膚外用剤について試験を実施した結果を表１に記載する。
本発明の実施例１、２の皮膚外用剤は比較例１〜３の皮膚外用剤よりもＤＡＤＡの経皮吸収性吸収に於いて顕著な吸収促進効果が見られた。
【００１９】
実施例３、比較例４、５
ＤＡＤＡ、グリセリン、メチルパラベン、キサンタンガム、エタノール、イソステアリン酸、オレイン酸を表２に記載の通り各成分を重量％で配合し、各々の皮膚外用剤を調製した。これを試料として血行促進効果の試験及び官能評価試験を実施した。
【００２０】
【表２】
0003625020.tif 000003
【００２１】
（１）調製方法
各々を、室温にて混合し、乳化分散を行い調製する。
（２）特性
各皮膚外用剤の諸試験を実施した結果を、表３に示す。
本発明の実施例３の皮膚外用剤は、比較例４、５の皮膚外用剤よりも血行促進効果を有していることが示された。更に、官能面において実施例３は比較例４よりもかなり優れていることが示された。
【００２２】
【表３】
0003625020.tif 000004
【００２３】
【発明の効果】
以上記載の通り、本発明が生理活性成分のの皮膚における吸収を促進させる優れた経皮吸収促進剤及び皮膚外用剤皮膚外用剤を提供することは明らかである。
(57)【特許請求の範囲】
【請求項１】
外周内面に磁石を配設したローターを、ハブに取り付けたブレーキドラムに固定し、該磁石の内面に対向するコイルを配設したハブダイナモヨーク、ステーター中心孔を車軸に嵌合したブレーキドラム内蔵型自転車発電機に於て、円筒体一側に円形ボス部を、他側に外側面が開放された有底円孔を形成したカラーを車軸に嵌合し、外周をハブダイナモヨーク、ステーターの中心孔に密着嵌合し、ボス部をステーターカバーの中心孔に先端を突出させて密着嵌合し、大径中心孔内にハブ玉押し部を嵌入し、車軸に螺合したナットによりボス部を押圧してハブ玉押し部を押圧する如くしたブレーキ内蔵型自転車発電機。
【発明の詳細な説明】
【０００１】
【発明の属する技術分野】
本発明は、ローター内にブレーキドラムを、ステーター内にブレーキシュを内蔵したブレーキ内蔵型自転車発電機に関する。
【０００２】
【従来の技術】
従来のブレーキ内蔵型自転車発電機は、図４に示すように、拡開式ブレーキドラム１０１をハブ１０２に固定し、外周内面に磁石１０３を固定したローターカバー１０４を前記拡開式ブレーキドラム１０１に固定し、前記磁石１０３と対向するコイル１０５を配設したハブダイナモヨーク１０８と一体化されたステーター１１４、ステーターカバー１０６を車軸１０７に嵌挿し、コイル１０５のヨーク１０８と一体化されたステーター１１４の中心部貫通孔１０９内にハブ玉押し部１１０を嵌入し、該ハブ玉押し部外側面とステーターカバー１０６内面との空隙部１１１にワッシャー１１２を所定枚数挿入してハブ玉押し部１１０に押圧し、車軸に螺合したナット１１３でステーターカバー１０６を固定していた。
【０００３】
【発明が解決しようとする課題】
上記従来技術はステーターカバー１０６と車軸及びステーター１１４、ヨーク１０８間に隙間が生じ、磁界が強く発生する中心部が空洞になっているので発電出力が低下し、又ワッシャー、玉押し部、ステーターカバー、ナット、ハブ間での個々の部品精度の影響を受けて芯振れが生ずるという問題点があった。
【０００４】
【課題を解決するための手段】
本発明は上記問題点を解決することを目的とし、外周内面に磁石を配設したローターを、ハブに取り付けたブレーキドラムに固定し、該磁石の内面に対向するコイルを配設したハブダイナモヨーク、ステーター中心孔を車軸に嵌合したブレーキドラム内蔵型自転車発電機に於て、円筒体一側に円形ボス部を、他側に外側面が開放された有底円孔を形成したカラーを車軸に嵌合し、外周をハブダイナモヨーク、ステーターの中心孔に密着嵌合し、ボス部をステーターカバーの中心孔に先端を突出させて密着嵌合し、大径中心孔内にハブ玉押し部を嵌入し、車軸に螺合したナットによりボス部を押圧してハブ玉押し部を押圧する如くしたことを特徴とする。
【０００５】
【発明の実施の形態】
本発明の実施の形態を図１乃至図３に示した一実施例に基づいて詳細に説明する。
１はローターで、外周内面に磁石２を固定し、ハブ３外周に螺合固定したブレーキドラム５の底部とリベット６でカシメる。７はステーターで、前記磁石２内周に僅かの間隙でコイル８を対向配設してある。９は径方向に拡開するブレーキシュで、外部からの操作で図３の如く回転しているブレーキドラム５の内面に圧接して回転を停止させるようになっている。１０はステーター７と一体化したハブダイナモヨークで、ステーター７と同様に中心孔１１を形成しステーターカバー１２に小径中心孔１３を形成してある。１４は軟鉄製円筒状のカラーで、中心孔１５を車軸１６に密着嵌合し、外周を前記中心孔１１（ステーター、ヨーク）に密着嵌合し、カラー１４先端ボス部１７をステーターカバー１２の前端の小径中心孔１３に嵌合し、カラー１４の中心孔１５には大径中心孔１８を形成し、ハブ玉押し部１９を嵌合してある。２０はローター１外周の冷却フィン、２１は車軸１６に螺合したナットである。
【０００６】
次に作用について説明する。
車輪が回転するとハブ３と一体にローター１が回転し、ステーター７と一体化されたヨーク内のコイル８に発電する。この時、ステーター７とハブダイナモヨーク１０の中心孔１１と車軸１６とはカラー１４で密着嵌合し、先端ボス部１７はステーターカバーの小径中心孔下部底面に密着嵌合してあるので、ハブダイナモヨーク１０と車軸１６間に隙間がなくなる。車軸１６に螺合したナット２１によりステーターカバー１２から突出しているボス部１７を押圧してカラー１４を押し、ハブ玉押し部１９を所定の圧力で圧接する。
【０００７】
【発明の効果】
本発明は、外周内面に磁石を配設したローターを、ハブに取り付けたブレーキドラムに固定し、該磁石の内面に対向するコイルを配設したハブダイナモヨーク、ステーター中心孔を車軸に嵌合したブレーキドラム内蔵型自転車発電機に於て、円筒体一側に円形ボス部を、他側に外側面が開放された有底円孔を形成したカラーを車軸に嵌合し、外周をハブダイナモヨーク、ステーターの中心孔に密着嵌合し、ボス部をステーターカバーの中心孔に先端を突出させて密着嵌合し、大径中心孔内にハブ玉押し部を嵌入し、車軸に螺合したナットによりボス部を押圧してハブ玉押し部を押圧する如くしてあるので、ヨーク、ステーターと車軸間に隙間がなくなり磁束洩れがなく発電出力を向上できる。
又、車軸に対してステーター、ヨークと玉押し部、ハブを同心状に位置決めできるので芯振れが低減され発電ロスも改善された。
【図面の簡単な説明】
【図１】本発明の一実施例正断面図である。
【図２】図１のカラー正面図である。
【図３】ブレーキドラムとブレーキシュの作動説明図である。
【図４】従来のブレーキドラム内蔵型自転車発電機の正断面図である。
【符号の説明】
１    ローター
２    磁石
３    ハブ
５    ブレーキドラム
６    リベット
７    ステーター
８    コイル
９    ブレーキシュ
１０    ハブダイナモヨーク
１１    中心孔
１２    ステーターカバー
１３    小径中心孔
１４    カラー
１５    カラーの中心孔
１６    車軸
１７    カラーのボス部
１８    大径中心孔
１９    ハブ玉押し部
２０    冷却フィン
２１    ナット
【図１】
0003625021.tif 000002
【図２】
0003625021.tif 000003
【図３】
0003625021.tif 000004
【図４】
0003625021.tif 000005
(57)【特許請求の範囲】
【請求項１】
リング状の本体（１１）と、前記本体から垂下するフック（１２）とからなる合成樹脂製リングランナー（１０）であって、少なくともカーテンポールと接触する前記本体の走行部（１５）を含む前記本体の第１樹脂部（１７）をあらかじめ走行性の良好な樹脂から成形し、前記第１樹脂部をインサートして前記本体の第２樹脂部（１８）を外観形成性の良好な樹脂から成形してなることを特徴とするカーテンポール用合成樹脂製リングランナー。
【請求項２】
第１樹脂部（１７）は本体（１１）の芯となるリング（１４）を有し、第２樹脂部（１８）は前記リング部（１４）を被覆し、前記第１樹脂部の走行部（１５）は前記本体内周面上部の中心角９０度の部分を形成することを特徴とする請求項１記載のカーテンポール用合成樹脂製リングランナー。
【発明の詳細な説明】
【０００１】
【発明の属する技術分野】
本発明は装飾性に富むカーテンポールにはめて使用する合成樹脂製リングランナーに関する。
【０００２】
【従来の技術】
従来のリングランナーはリング状の本体と、その本体から水かするフックとから構成され、少なくとも本体は全体が同一樹脂からなる成形品であった。
リングランナーにはカーテンポールの意匠に合致した外観が要求される。例えば木調カーテンポールに使用するリングランナーには木質感が要求されるので、リングランナー本体は外観が木目状になるように成形されていた。
【０００３】
【発明が解決しようとする課題】
本体の外観をカーテンレールの意匠に合わせるのに適した合成樹脂を使用して成形すると、リングランナーとしての走行性が不良になるという問題があった。しかし、木目状に成形した本体は走行性が不良になるという問題があった。
又、リングランナーの走行性を向上するために、滑走性の良好な合成樹脂を使用すると、成形時間が長くなり、コストが上昇するという問題があった。
【０００４】
本発明はこれらの問題を解決するためになされたものであり、その目的とするところは、カーテンポールの意匠に合致した外観を有する合成樹脂製リングランナーであって、走行性の良好なものを比較的低コストで提供することにある。
【０００５】
【課題を解決するための手段】
前記目的を達成するため、本発明が採用する手段は、リングランナーの本体を走行性に優れた樹脂から成形した第１樹脂部と、外観形成に優れた樹脂から成形した第２樹脂部とから構成したことにある。第１樹脂部は本体のカーテンポールを滑走する走行部を含み、第２樹脂部に先だって成形する。この第１樹脂部をインサートとして第２樹脂部を成形して本体とする。走行性の良好な樹脂は強度も大きいから、カーテンを掛けるフックと一体に成形することが望ましい。
【０００６】
【発明の実施の形態】
図１及び図２に示すリングランナー１０は、リング状の本体１１と、その本体から平板状のフックが突出する形状であり、フック１２はカーテンフックを掛けるフック孔１３を有する。
図３に示すように、リングランナー１０の本体１１は２種類の樹脂からなる成形品であり、あらかじめ成形した第１樹脂部１７をインサートして第２樹脂部１８と一体に成形したものである。第１樹脂部１７は比較的硬質であり、平滑な走行性に優れた表面を有する。第２樹脂部１８は比較的軟質であり、表面は粗面であるから、木材等に類似した外観を有する。第１樹脂部１７はフック１２と、本体１１の芯となるリング部１４と、カーテンポールに接触する走行部１５とからなる。第１樹脂部１７のリング部１４には第２樹脂部１８との結合を強固とするため４個の穴１６があけられる。走行部１５は本体１１内周面上部の中心角９０度の領域において外部に露出するが、それ以外の部分はすべて第２樹脂部１８によって被覆される。
【０００７】
図４に示すように、第１樹脂部１７の走行部１５の厚さはリング部１４よりも厚いので、リングランナー１０が傾斜しても常に走行部１５がカーテンポールに接触する。このように、リングランナー１０のカーテンポール上を滑走する走行部１５は硬質で平滑な樹脂であるから、リングランナー１０の走行性は良好である。又、リングランナー１０の外面はどのような外観も比較的容易に付与することができる比較的軟質な樹脂であるから、リングランナー１０の外観をカーテンポールの意匠に合致させることができる。
【０００８】
【実施例】
図５は、木調のブラケット２に支持した木調のカーテンポール１に、木調の外観を有するリングランナー１０を取り付けたものであり、全体の意匠は木調に統一されている。木調の外観を有する樹脂は走行性が不良であるが、この実施例のリングランナー１０は２種類の樹脂からなり、外面は木質感のある走行性の不良な樹脂であるが、カーテンポール１の上を滑走する走行部は走行性に優れた樹脂であるから、リングランナー１０の走行性は良好である。
【０００９】
実施例は木調の意匠のものを示したが、全体を金属感の意匠で統一することも容易である。
【００１０】
【発明の効果】
上記のとおり、本発明のリングランナーは、従来の１種類の樹脂のみで成形したものとは異なり、カーテンポールと接触する走行部を含む第１樹脂部をあらかじめ比較的硬質で走行性に優れた樹脂から成形し、その第１樹脂部をインサートして比較的軟質で外観形成性に優れた樹脂から成形して本体としたから、リングランナーの外観はカーテンポールの意匠に合致し、かつ走行性も良好であるという優れた効果を奏する。
【図面の簡単な説明】
【図１】は本発明のリングランナーの正面図、
【図２】は図１のリングランナーの側面図、
【図３】は図１のリングランナーの第２樹脂部の片側を切除した状態を示す側面図、
【図４】は図２のＩＶ−ＩＶ線矢視図、
【図５】は図１のリングランナーを取り付けたカーテンポールの正面図、
【符号の説明】
１：カーテンポール、
２：ブラケット、
１０：リングランナー、
１１：本体、
１２：フック、
１３：フック穴、
１４：リング部、
１５：走行部、
１６：穴、
１７：第１樹脂部、
１８：第２樹脂部
【図１】
0003625099.tif 000002
【図２】
0003625099.tif 000003
【図３】
0003625099.tif 000004
【図４】
0003625099.tif 000005
【図５】
0003625099.tif 000006
(57)【特許請求の範囲】
【請求項１】
取付ける配管の外径に沿って嵌合する中空部を円柱状の中心に形成し、その中空部から外側に向かって配管の外径より小さく、且つ、配管が圧入可能となる幅の切欠部を一体に形成した保温片と、該切欠部に嵌合する充填片とからなる保温材であって、保温片を配管に切欠部より圧入し中空部に嵌合して仮止めすると共に、充填片を切欠部に嵌合することで、保温材を配管に仮止めし、この仮止めした保温材の外面から配管支持金具のバンドを締め付け固定することにより、配管を配管支持金具で吊設するようにしたことを特徴とする配管設備用保温材。
【発明の詳細な説明】
【０００１】
【産業上の利用分野】
この発明は、配管設備工事において、液化ガス管、冷温水配管、冷媒配管、蒸気管など保温保冷を必要とする際に、適宜間隔で配管を吊設する配管支持金具と配管の間に介在して使用する保温材に関する。
【０００２】
【従来の技術】
従来、保温材は、発泡ゴムや合成樹脂製により中央に配管が嵌合する中空部を形成したリング状に形成した本体を２等分に分割した状態のものを組み合わせて使用しているが、その取付け方法としては、配管の適所に、中空部の内壁が配管に嵌合したリング状になるように保温片を手で組み合わせ、その状態を保ったままで配管支持金具のバンドの部分を保温片の上から取付け、タンバックルを支持するボルトでバンドを締め付けて固定していた。
【０００３】
【発明が解決しようとする課題】
上記従来の方法では、２つの保温片を手で組み合わせ、その状態を保ったままで配管支持金具を保温片の上から取り付けるために、作業が非常に煩わしく、手間も掛かり、作業効率が悪くなるなどの問題点を有する。
【０００４】
【課題を解決するための手段】
この発明は上記従来の課題に鑑みなされたもので、その目的は、配管に沿って保温材を取り付けた後、手を放しても配管から外れることのない、仮止めのできる保温材を提供するものである。
【０００５】
その手段として、取付ける配管の外径に沿って嵌合する中空部を円柱状の中心に形成し、その中空部から外側に向かって配管の外径より小さく、且つ、配管が圧入可能となる幅の切欠部を一体に形成した保温片と、該切欠部に嵌合する充填片とからなる保温材であって、保温片を配管に切欠部より圧入し中空部に嵌合して仮止めすると共に、充填片を切欠部に嵌合することで、保温材を配管に仮止めし、この仮止めした保温材の外面から配管支持金具のバンドを締め付け固定することにより、配管を配管支持金具で吊設するようにしたことを特徴とする。
【０００６】
上記構造により、保温片の切欠部の幅を、取付ける配管の外径よりも小さく形成しているために、配管に保温片を切欠部より中空部まで圧入、嵌合することで、仮止めすることができると共に、保温片の仮止め後、充填片を切欠部に嵌合することで、保温材を取り付けた後、手を放しても配管から外れることなく仮止めできるなど、前記従来の課題を解消するものである。
【０００７】
【実施例】
第１図は本発明の実施例を示す斜視図であり、第２図は本発明の実施例を示す断面図である。
1は保温材であり、保温片2と充填片５とからなり、組み合わせることで円柱状に形成されるもので、発泡ゴム、あるいは合成樹脂製である。
３は中空部で取付ける配管の外径に沿って嵌合するように形成すると共に、保温材1の同軸上に形成する。
4は切欠部であり、中空部3から外側に向かって、且つ、取付ける配管の外径より小さい幅に形成する。
充填片５は切欠部4に嵌合すると共に、切欠部4の幅より少し大きく形成する。
【０００８】
第３図は、本発明の実施例の使用状態を示す説明図であり、配管Ａの所望位置に保温片2を切欠部4より圧入し、中空部3で嵌合して、次に切欠部4に充填片5を嵌合させて仮止めして、その後、配管支持金具Ｂを保温材1の上から取付ける。
この発明の第2実施例として、第2図の仮想線で示すように保温片2の外側面に、凸部、あるいは凹溝部を、充填片5の接合する内側面に凹溝部、あるいは凸部を設けて横方向から押し入れて接合する手段もこの発明から容易に推考し得る。
【０００９】
【発明の効果】
以上詳細に説明したようにこの発明の配管設備用保温材によれば、保温片の切欠部の幅を、取付ける配管の外径よりも小さく形成しているために、配管に保温片を切欠部より中空部まで圧入、嵌合することで、仮止めすることができると共に、保温片の仮止め後、充填片を切欠部に嵌合することで、保温材を取り付けた後、手を放しても配管から外れることなく仮止めでき、配管支持金具の取付け作業が両手で簡単に、しかも安全性も高くなるなど実用上有益な配管設備用保温材を得ることができる。
【図面の簡単な説明】
【図１】本発明の実施例を示す斜視図
【図２】本発明の実施例を示す断面図
【図３】本発明の実施例の使用状態を示す説明図
【符号の説明】
1    保温材
2    保温片
3    中空部
4    切欠部
5    充填部
A    配管
B    配管支持金具
【図１】
0003625085.tif 000002
【図２】
0003625085.tif 000003
【図３】
0003625085.tif 000004
(57)【特許請求の範囲】
【請求項１】
厚さ０．２〜３．０mmの軟質合成樹脂から成り、かつ両端が開口した可撓性を有する筒状容器本体の一方の開口端部に、着脱自在のノズルキャップを備え、かつ厚さ０．５〜３．０mmの硬質合成樹脂から成る透明ノズル筒部を連結すると共に、他方の開口端部に尾栓部を着脱自在に取り付けたことを特徴とする微生物試験用容器。
【請求項２】
容器本体の容積が、最大圧縮時に透明ノズル筒部の容積相当分以上減少し得るに足る容積を有するものである請求項１記載の微生物試験用容器。
【請求項３】
尾栓部が被検物採取具を備えているものである請求項１又は２記載の微生物試験用容器。
【発明の詳細な説明】
【０００１】
【発明の属する技術分野】
本発明は微生物試験用容器、更に詳細には、被検物から所定の濁度を有する被検液を作製すると共に、当該被検液を試験反応槽等に滴下注入することのできる微生物試験用容器に関する。
【０００２】
【従来の技術】
従来、微生物に関する試験検査は、一般的には試験管のような透明容器（ガラス製、硬質合成樹脂製）に、試験用液を分注調製し、次いで白金耳、綿棒、スプーン状棒（ガラス製、合成樹脂製、木製）等の採取具を用いて被検物をかき取って前記試験用液中に入れ、標準比濁液あるいは比濁計等により目的の濁度に合わせながら懸濁して被検液を作製し、然る後当該被検液をスポイトやピペット（ガラス製、合成樹脂製）等で吸い上げ、試験反応槽等に滴下注入し、所定時間培養することによって行なわれていた。
【０００３】
そのため、従来の微生物試験に於ては、被検物から所定の濁度を有する被検液を作製し、それを滴下するためには、前記の如く試験管等の透明容器、白金耳等の採取具及びスポイト等の滴下器具の少なくとも３点を予め用意しなければならず、その煩瑣なることは検査従事者の等しく痛感するところであった。特に、無菌材料を扱う場合には、当該全ての器具に事前に滅菌処理を施さなければならず、甚だ作業効率の悪いものとなっていたのが実状であった。
【０００４】
【発明が解決しようとする課題】
本発明は上記の如き従来の問題に鑑みてなされたものであり、一本の容器で被検物から所定の濁度を有する被検液を作製し得ると共に、当該被検液を試験反応槽等に滴下注入することができ、その結果操作の簡易化、作業効率の向上を頗る図ることのできる微生物試験用容器を提供することを目的とする。
【０００５】
【課題を解決するための手段】
上記目的を達成するために、本発明は厚さ０．２〜３．０mmの軟質合成樹脂から成り、かつ両端が開口した可撓性を有する筒状容器本体の一方の開口端部に、着脱自在のノズルキャップを備え、かつ厚さ０．５〜３．０mmの硬質合成樹脂から成る透明ノズル筒部を連結すると共に、他方の開口端部に尾栓部を着脱自在に取り付けた構成を採用したものである。
【０００６】
本発明微生物試験用容器は、ノズル筒部が透明であるため、被検液作製に際しては外部から内部を観察し得るので、被検液の濁度調整を容易に行ない得ると共に、被検液作製後に於ては容器本体が可撓性を有し圧縮可能なものであるため、手指で押圧することにより、被検液を透明ノズル筒部のノズル孔から対象となる試験反応槽等に必要量滴下注入せしめることができる。
【０００７】
【発明の実施の形態】
以下本発明を一実施の形態を示す図面と共に更に説明する。
【０００８】
１は容器本体で、両端が開口した筒状体から成ると共に可撓性を有し、手指による圧縮変形が可能となっているものである。この容器本体１の容積としては、最大圧縮時に減少する容積が、後述の透明ノズル筒部２の容積相当分と同じかそれ以上となるような容積を有するものが好ましく、具体的には内径５〜３０ｍｍ、特に８〜１５ｍｍ、長さ３０〜１００ｍｍ、特に６０〜８０ｍｍの円筒形とするのが好ましい。また、斯かる容器本体１の材質としては、厚さ０．２〜３．０ｍｍ、特に０．４〜２．０ｍｍのポリエチレン系樹脂等の軟質合成樹脂が圧縮操作性の点で特に良い結果が得られる。
【０００９】
２は透明ノズル筒部で、先部２１にノズル孔２１ａが形設されていると共に、その基部２２は容器本体１の前方開口端部１１と連結されている。ここに連結手段としては、接着剤、熱溶融等による着脱不能な一体接合手段であっても良いが、螺合等による着脱自在なものであっても良い。この透明ノズル筒部２は、肉眼的に内部の被検液の濁度を確認し得る透明性を有することが必要であり、材質としては例えばポリスチレン樹脂、メタクリル樹脂、ポリ塩化ビニル樹脂、ポリブチレン・テレフタレート樹脂、セルロース・アセテート樹脂、ジアリルフタレート樹脂等の硬質合成樹脂が挙げられ、就中廉価でかつ加工のし易さの点からポリスチレン樹脂が特に有利である。また、透明ノズル筒部２の具体的な大きさとしては、内径５〜３０ｍｍ、特に７〜１０ｍｍ、長さ５〜３０ｍｍ、特に８〜２０ｍｍとするのが濁度の確認性並びに前記した容器本体１の容積との関係上望ましい。更に厚さとしては、０．５〜３．０ｍｍ、特に１．０〜１．５ｍｍとするのが好ましい。而して、特にノズル筒部２としては、厚さ０．５〜３．０ｍｍのポリスチレン系樹脂から成るものが、該透明樹脂部を通して標準比濁液ＭｃＦａｒｌａｎｄ  Ｎｏ．１の１／２の濁度に調製することが可能となり良い結果が得られる。
【００１０】
３はノズルキャップで、前記ノズル筒部２の先部２１に螺合等の手段により着脱自在に取り付けられており、該着脱によりノズル孔２１ａを閉止又は開放するものである。このノズルキャップ３の材質はその種類の如何を問わない。
【００１１】
４は尾栓部で、前記容器本体１の後方開口端部１２に、螺合等の手段により着脱自在に取り付けられており、該着脱により後方開口部を閉止又は開放するものである。この尾栓部４の材質はその種類の如何を問わない。
【００１２】
５はスティックやエーゼ等の被検物採取具で、尾栓部４を容器本体１に装着した際に、該容器本体１内に収納されるように、尾栓部４に突設されているものである。
【００１３】
次に、上記の如き実施の形態に係る本発明微生物試験用容器の使用法について説明する。
まず、容器本体１から尾栓部４を取り外ずして容器本体１の開口端部１２を開放し、透明ノズル筒部２を底部として該容器本体１内に試験用液を分注する。次いで、尾栓部４の被検物採取具５を用いて被検物を採取して容器本体１内の試験用液中に入れ、透明ノズル筒部２に於て内部を観察しつつ目的の濁度に合わせながら懸濁して被検液を作製する。然る後、尾栓部４を容器本体１に取り付け、開口端部１２を密閉した後、透明ノズル筒部２からノズルキャップ３を取り外ずしてノズル孔２１ａを開放し、容器本体１を手指で押圧すれば、内部の被検液がノズル孔２１ａから試験反応槽等に滴下排出される。
【００１４】
【発明の効果】
本発明微生物試験用容器を用いれば、他に格別器具を用意する必要はなく、該容器のみで、被検物から所定の濁度を有する被検液を作製することができると共に、当該被検液を試験反応槽等に滴下注入することができるので、試験操作の簡易化並びに作業効率を著しく向上せしめることができる。
【図面の簡単な説明】
【図１】本発明微生物試験用容器の実施の形態例を示す分離断面説明図。
【符号の説明】
１：容器本体
２：透明ノズル筒部
２１ａ：ノズル孔
３：ノズルキャップ
４：尾栓部
５：被検物採取具
【図１】
0003625352.tif 000002
(57)【特許請求の範囲】
【請求項１】
アルキルフェノールのホルマリン縮合物をスチレン化した後にアルキレンオキサイドを付加した化合物をエチレングリコールモノメチルエーテルで５０％に希釈した溶液  及び／又は  アルキルフェノールのホルマリン縮合物をスチレン化した後にアルキレンオキサイドを付加しアルケニルコハク酸無水物でエステル化した化合物をエチレングリコールモノメチルエーテルで５０％に希釈した溶液を、原油に対して５〜１０，０００ｐｐｍ添加することを特徴とする石油スラッジの分散方法。
【発明の詳細な説明】
【０００１】
【産業上の利用分野】
本発明は、原油の貯蔵中に原油タンク内に発生する石油スラッジの凝集、沈降、分離を防止し、タンク内全体の石油の流動性を維持し、タンク清掃の時間短縮及びタンクの保全に役立つ、スラッジの分散方法に関するものである。
【０００２】
【従来の技術】
日本で使用される原油は、一基数万〜１０万ＫＬ規模のストレージタンクに長期間保存された後に使用される。特に近年エネルギーの安定供給を図るために原油の国家備蓄量は増加し、ストレージタンクの容量は巨大化し、貯蔵期間も長期にわたるようになってきた。このような状況の中での問題は、ストレージタンクの底部に除々に堆積するスラッジである。
【０００３】
このスラッジは一般には原油中のワックス、樹脂分、アスファルテン等の高分子物質が複雑に混合したもので、タンクの貯蔵能力を低下させたり、送油パイプやポンプを詰まらせる原因にもなり、原油貯蔵時の大きな問題となっている。  このスラッジの堆積を防止する方法としては、一般に撹拌機等による機械的な方法で液を撹拌しスラッジの沈降、沈殿を防ぐ方法が行われている。
【０００４】
【発明が解決しようとする課題】
これらの巨大タンク内にある原油のスラッジを撹拌により分散させることは非常に困難であり、経済的にも得策ではない。そのため少量の油溶性分散剤を添加することにより、スラッジを安定的に分散させる方法が検討されてきた（特公昭６２−１４３５号）。  しかしながら、世界各地で生産される多種類の原油に対して幅広く効果を示す薬剤は見出されていない。更に原油関係のストレージタンクには法定点検が必要となっている。
【０００５】
【課題を解決するための手段】
本発明者等は、上記従来技術の欠点を克服すべく多くのスラッジ分散剤について鋭意研究を重ねた結果、極めて限定された特定の化学構造を持つ物質が、多くの原油種に対して幅広くスラッジ分散効果を示し、原油の流動性をも改良することを見出し、本発明を完成したものである。
【０００６】
即ち本発明は、原油にアルキルフェノールのホルマリン縮合物をスチレン化した後にアルキレンオキサイドを付加した化合物（化１）をエチレングリコールモノメチルエーテル（東邦化学工業製  商品名ハイソルブ  ＭＣ）で５０％に希釈した溶液（添加剤Ａとする）、及びアルキルフェノールのホルマリン縮合物をスチレン化した後にアルキレンオキサイドを付加しアルケニルコハク酸無水物でエステル化した化合物（化２）をエチレングリコールモノメチルエーテルで５０％に希釈した溶液（添加剤Ｂとする）を、各々単独で又は混合した物を５〜１０，０００ｐｐｍ添加する事により、原油中に存在するスラッジを有効に分散する方法である。
【０００７】
【化１】
0003625949.tif 000002
【０００８】
但し、式中のＥＯは−ＣＨ２−ＣＨ２−Ｏ−を、ＰＯは−ＣＨ２−ＣＨ（ＣＨ３）Ｏ−を、Ｒ１は炭素数５〜２０（平均９）のアルキル基を、ｋは２〜２０（平均１０）、ｎは２〜２０（平均１０）、ｐは０〜５（平均２）をそれぞれ示す。
【０００９】
【化２】
0003625949.tif 000003
【００１０】
但し、式中のＥＯは−ＣＨ２−ＣＨ２−Ｏ−を、ＰＯは−ＣＨ２−ＣＨ（ＣＨ３）Ｏ−を、Ｒ１は炭素数５〜２０（平均９）のアルキル基を、ｋは２〜２０（平均１０）、ｎは２〜２０（平均１０）、ｐは０〜５（平均２）をそれぞれ示す。ａ、ｂは０又は１を（但しａ＋ｂは１以上）それぞれ示す。
【００１１】
ＡＳＡはアルケニルコハク酸無水物であり下記の化学構造で示される。
0003625949.tif 000004
【００１２】
以下に本発明の内容を実施例及び比較例によって説明するが、本発明はこれらの実施例に限定されるものではない。本発明の実施例に使用した試料スラッジの性状は表１の通りである。
【００１３】
0003625949.tif 000005
【００１４】
【実施例】
〔実施例  １〕分散浸透試験
試験方法
添加剤Ａまたは添加剤Ｂを５〜１０，０００ｐｐｍ添加したアラビアンライト原油（１Ｌ）を試験溶液として調製する。次に、試験溶液に試料ＩまたはＩＩを１ｇ添加し試料溶液を調製する。
３，０００ｒｐｍで１０分間スターラー撹拌した後、試料溶液を５Ａメッシュの濾紙で濾過し、その濾紙の状況を目視確認した。  但し、ブランクは添加剤を含有しない試験溶液で行なった。
使用したアラビアンライト原油の性状を表２に示す。
また試験結果を表３および表４に示す。
【００１５】
0003625949.tif 000006
【００１６】
0003625949.tif 000007
【００１７】
0003625949.tif 000008
【００１８】
〔実施例  ２〕剥離試験
試験方法
添加剤Ａまたは添加剤Ｂを５〜１０，０００ｐｐｍ添加したアラビアンライト原油（１Ｌ）を試験溶液として調製する。ステンレス鋼の試験片に試料ＩまたはＩＩを塗布し１日放置する。
その試験片を試験溶液に室温にて６０分浸漬した後、剥離（浸透）状況を目視確認する。  但し、ブランクは添加剤を含有しない試料溶液で行なった。
試験結果を表５および表６に示す。
【００１９】
0003625949.tif 000009
【００２０】
0003625949.tif 000010
【００２１】
〔実施例  ３〕除去試験
試験方法
添加剤Ａ，添加剤Ｂまたは添加剤ＡとＢが１／１の混合物を５〜１０，０００ｐｐｍ添加した水溶液（１Ｌ）を調製する。アラビアンライト原油９５ｇに試料ＩまたはＩＩを５ｇ添加し、スラッジ含有原油を調製する。ポリエステル製試験布にスラッジ含有原油を０．２５ｍＬ適下しスポットを作る。そのスポットのついた試験布を試験溶液に室温で１時間浸漬する。浸漬後のスポットの状態を観察した。  但し、ブランクは添加剤を含有しない試料溶液で行なった。
試験結果を表７〜表９に示す。
【００２２】
0003625949.tif 000011
【００２３】
0003625949.tif 000012
【００２４】
0003625949.tif 000013
【００２５】
【発明の効果】
実施例１〜３の分散浸透試験、剥離試験、除去試験の結果が示すように、原油に本発明の添加剤Ａ、添加剤Ｂ又は添加剤Ａと添加剤Ｂの混合物を加えることによって、原油中のスラッジが凝集、沈降、分離してタンク壁面に固着したりせず、又底部に沈殿堆積したりせず、タンク内原油全体の流動性が維持出来ることは明らかであり、タンク清掃の時間短縮及びタンクの保全に役立つスラッジの分散方法を提供する事が出来る。
(57)【特許請求の範囲】
【請求項１】
本体ケースと、この本体ケースに内蔵された回路基板と、この回路基板に立設するように一端が固定され、一部が前記本体ケースより露出する充電接点とを備えた充電器において、前記充電接点は、導電性基板を折り曲げ加工してなり、前記回路基板と固定される一端部が少なくとも３分割され、分割された中央部と両端部とが互いに反対方向に折り曲げ加工されていることを特徴とする充電器。
【発明の詳細な説明】
【０００１】
【発明の属する技術分野】
本発明は、二次電池を内蔵したパック電池や携帯電気機器を充電する充電器に関するものであり、特に、充電接点の構造に係る。
【０００２】
【従来の技術】
二次電池を内蔵したパック電池や携帯電気機器等の充電は、充電器に設けられた装着部にパック電池等を装着し、パック電池等の充電端子に充電器の充電接点を当接させることにより行う。
【０００３】
ここで、充電器の充電接点は、特開平５−１２２３１５号公報に見られるように、金属板を適宜に折り曲げ加工したものを用いている。そして、一端を充電器に内蔵された回路基板に電気的かつ機械的に固定し、一部分を充電器の装着部に露出させている。
【０００４】
【発明が解決しようとする課題】
こうした充電接点においては、充電接点を確実に回路基板に固定すると共に、一部分が適宜の状態で充電器の装着部に露出するようにすることが重要である。また、充電接点における不所望な抵抗成分による充電効率の低下も抑制する必要がある。
【０００５】
【課題を解決するための手段】
本発明は、本体ケースと、この本体ケースに内蔵された回路基板と、この回路基板に立設するように一端が固定され、一部が前記本体ケースより露出する充電接点とを備えた充電器において、前記充電接点は、導電性基板を折り曲げ加工してなり、前記回路基板と固定される一端部が少なくとも３分割され、分割された中央部と両端部とが互いに反対方向に折り曲げ加工されていることを特徴としている。
【０００６】
【発明の実施の形態】
図１は本発明の一実施例を示す断面図である。１は本体ケースであり、下部ケース１Ａ及び上部ケース１Ｂを適宜に嵌合固定して構成されている。２は本体ケース１内の下部ケース１Ａの部分に内蔵して固定された回路基板であり、この回路基板２は、充電回路を構成するトランス、トランジスタ、抵抗等の電気部品が配置されたプリント基板からなる。３は回路基板２に立設するように一端が固定された一対の充電接点である。
【０００７】
この充電接点３は、略帯状の金属板を折り曲げ加工してなる。また、充電接点３の一端、即ち、回路基板２と固定される端部は３分割され、分割された中央の１つの片と両端の２つの片とは、互いに反対方向に折り曲げられている。そして、これら３つの分割片により、充電接点３は、回路基板２に対して略垂直状態で、電気的かつ機械的に立設固定される。
【０００８】
なお、充電接点３の端部は、４分割以上に分割されても良い。この場合、分割片は、交互に反対方向に折り曲げても良く、あるいは前述と同様に、中央部分と両端部分が互いに反対方向に折り曲げられても良い。
【０００９】
一方、４は上部ケース１Ｂの上面の略中央に設けられた電池収納凹所、５は電池収納凹所４の側面に形成された一対の開口であり、この開口５から、回路基板２に立設固定された充電接点２の一部が、電池収納凹所４に露出している。
【００１０】
更に、６は電池収納凹所４側から見て、充電接点３の各々の背面に上方より垂下して配された接点支持リブである。この接点支持リブ６は、電池収納凹所４内にパック電池等が挿入され、充電接点３が撓んだとき（図１の破線参照）、充電接点３とパック電池等の充電端子との間の接触圧を十分なものとするべく、充電接点３の背面側を保持する。また、充電接点３が、本体ケース１内部に倒れ込むのを確実に防止する。
【００１１】
以上の構成によれば、充電接点３は、回路基板２への固定部分が３分割されて固定されているため、安定した状態で回路基板２に固定される。また、充電接点３に無駄な部分が無く、不所望な抵抗成分による充電効率の低下も生じない。
【００１２】
【発明の効果】
本発明は、本体ケースと、この本体ケースに内蔵された回路基板と、この回路基板に立設するように一端が固定され、一部が前記本体ケースより露出する充電接点とを備えた充電器において、前記充電接点は、導電性基板を折り曲げ加工してなり、前記回路基板と固定される一端部が少なくとも３分割され、分割された中央部と両端部とが互いに反対方向に折り曲げ加工されているので、充電接点を確実に回路基板に固定すると共に、一部分が適宜の状態で充電器の装着部に露出するようにすることができる。更に、充電接点における不所望な抵抗成分による充電効率の低下も抑制することができる。
【図面の簡単な説明】
【図１】本発明の一実施例を示す断面図である。
【図２】本発明による充電接点を示す斜視図である。
【符号の説明】
１    本体ケース
２    回路基板
３    充電接点
４    電池収納凹所
５    開口
【図１】
0003625618.tif 000002
【図２】
0003625618.tif 000003